(57)【要約】【課題】  犬などペットの糞を簡易な構成と容易な使用法で、違和感なく回収袋に回収するペット用糞回収装置を得ること。【解決手段】  収納本体に内設された回収袋を該収納本体の開口部近傍の一方端から対向面の他方端まで、棒状回収体を地面と接しながら移動できるように、該収納本体の開口部の左右側にそれぞれガイド部と、該両ガイド部を橋架すると共に摺動する棒状回収体を設け、該棒状回収体を弾性体の張力で摺動させるバネ体を棒状回収体の左右端側に弾発配置すると共に該バネ体と該棒状回収体を、前記開口部の一方端側で移動掛止と弾発移動解除するトリガー体を設けること、また、棒状回収体が地面と所定間隔を持ちながら弾発するゴム状回収体と共に移動するように、棒状回収体の一方端から弾発するゴム状回収体を、該両ガイド部の下部端、すなわち対接地面側を介して棒状回収体の他方端まで弾発掛架するとしている。【選択図】  図１
2012228186.tif 000002
【特許請求の範囲】
【請求項１】
収納本体に回収袋を内設させると共に回収袋の先端側を該収納本体の開口部より外側に折返して回収袋を設けるペット用糞回収装置において、該収納本体に内設された回収袋を該収納本体の開口部近傍の一方端から対向面の他方端まで、棒状回収体を地面と接しながら移動させて、開口部近傍に設けられる該回収袋の要部を絞り込みながらペットの糞などの汚物を回収できるように、該収納本体の開口部の左右側にそれぞれガイド部と、該両ガイド部を橋架すると共に摺動する棒状回収体を設け、該棒状回収体を弾性体の張力で摺動させるバネ体を棒状回収体の左右端側に弾発配置すると共に該バネ体と該棒状回収体を、前記開口部の一方端側で移動掛止と弾発移動解除するトリガー体を設けたことを特徴とするペット用糞回収装置。
【請求項２】
上記両ガイド部を摺動する棒状回収体の両端部に弾発するゴム状回収体を横架状に掛架し、該棒状回収体が地面と所定間隔を持ちながら弾発するゴム状回収体と共に移動することで、該ゴム状回収体が回収袋を該収納本体の開口部近傍で絞り込んでペットの糞など汚物を回収できるように、該棒状回収体を地面との間に所定の間隔を持って設けると共に棒状回収体の一方端から弾発するゴム状回収体を、該両ガイド部の下部端、すなわち対接地面側を介して棒状回収体の他方端まで弾発掛架するとした請求項１記載のペット用糞回収装置。
【発明の詳細な説明】
【技術分野】
【０００１】
本発明は、犬などペットの散歩させるとき、そのペットが出した糞を回収するのに使用するペット用糞回収装置に関する。
【背景技術】
【０００２】
従来、犬などペットを散歩させるとき、ペットが出した糞を回収するのにポリ袋などが多く用いられ、その回収は該ポリ袋を介して糞を手で掴んで、その状態でビニール袋を反転させ糞を収納する方法が、一般的に多く行われている。
【０００３】
また、ペットが糞を出す直前に新聞紙等の紙を敷いてその上に糞をさせたり、紙製を含むスコップなどですくい取り袋に回収している。
【０００４】
さらに、犬などの糞を処理するとき手を使わずに処理する物として、汚物処理装置が提案され、その汚物処理装置は、爪５の先端に両面テープ１８によって巻付けるように貼付けられたビニール袋１８を、該爪５の開閉によって掬い取り、外淵２のそのビニール袋１８に収納することが記載されている。（例えば、特許文献１参照）
【０００５】
加えて、上述の一般的な処理方法及び先行技術の状況に鑑み、その課題解決を図った本願出願人が発明したペット用糞回収装置がある。（例えば、特許文献２参照）
【先行技術文献】
【特許文献】
【０００６】
【特許文献１】特開２００７−７５０７９号公報
【特許文献２】特許第４０７４３３１号公報
【発明の概要】
【発明が解決しようとする課題】
【０００７】
上述した従来、行われているポリ袋を介して糞を手で掴んで回収することは、回収する人によっては非常に違和感を持ち、掴んだ感じが耐えられないと言うことで犬を散歩に連れ出さないで他の家族に任せているケースもあり、この事例が例外としても、掴む行為があまりよいイメージではなく、また犬が糞をする直前に紙を敷く物は、犬が気にしてしなかったり、紙を敷くタイミングを外したり、また犬が移動しながらしたりして取りこぼしがあり、その後の始末がよけいに手間となることがあり、糞の処理をしても違和感のない物、後始末の処理に手間が掛らない物が待たれていた。
【０００８】
また、先行技術の特許文献１の汚物処理装置は、糞の処理をしても違和感は無いが、構成から爪５の先端に両面テープ１８によって巻付けるようにビニール袋１８を貼付けており、掴み取ったときにできる貼付け部分に付着する糞の汚れが、爪５からビニール袋１８を取外すときには不衛生となり、特に軟便の場合は掴むことができず後処理も処理しづらく、また構成部品の多さと複雑さで高価となり、衛生的で簡易で安価な物が求められていた。
【０００９】
さらに、上述したように特許文献２は、本出願人が発明したペット用糞回収装置で、従来のペットの糞処理を違和感なく、また簡便に処理できるように課題解決したものではあるが、糞処理する前の準備作業で手間取ることがあり、つまり、収納本体２にポリ袋などの回収袋１１をセットする前に輪状弾性体８を掛止部９に掛止すると共に該環状摺動体３の外周に外嵌する必要があり、その輪状弾性体８を外嵌するときに慣れが必要で、人によっては（初めて使用する人、不器用な人、子供、老人、手の機能障害を持つ人など）手間取り、なかなか外嵌することができないことがあり、慣れるまでに使用を止めてしまうこともあり、このことから慣れを要することなく、その準備作業が容易にできること。
【００１０】
そしてその外嵌するときの慣れに関して、糞を回収するとき、糞と共に回収袋１１の口を絞るように縮まるときのその縮まる力は、糞の量に対抗して回収袋１１と共に絞る力が必要で、その力に対応させた輪状弾性体８を前記環状摺動体３の外周に外嵌するとき、その力の弾性力の強さにより弾けてなかなか上手く外嵌させるのが難しく、特に周縁すべてを外嵌するのに一方を入れると他の一方が外れるなど、上述したように慣れないと上手くできない事があり、その解決が待たれていた。
【００１１】
加えて、糞を回収するのに、回収袋１１をセットする前に輪状弾性体８を掛止部９に掛止する必要があるが、間違って輪状弾性体８を後からセットすると輪状弾性体８だけが外れるだけで回収袋１１の口を絞るように縮めることなく、輪状弾性体８が糞で汚れるだけで回収できず、その二つのセットの後先を注意することが重要で、そのことを注意することなく回収できる物が求められていた。
【課題を解決するための手段】
【００１２】
本発明は、上記課題を有効に達成するために、第１の解決手段として、収納本体に回収袋を内設させると共に回収袋の先端側を該収納本体の開口部より外側に折返して回収袋を設けるペット用糞回収装置において、該収納本体に内設された回収袋を該収納本体の開口部近傍の一方端から対向面の他方端まで、棒状回収体を地面と接しながら移動できるように、該収納本体の開口部の左右側にそれぞれガイド部と、該両ガイド部を橋架すると共に摺動する棒状回収体を設け、該棒状回収体を弾性体の張力で摺動させるバネ体を棒状回収体の左右端側に弾発配置すると共に該バネ体と該棒状回収体を、前記開口部の一方端側で移動掛止と弾発移動解除するトリガー体を設けたことで、
トリガー体で棒状回収体の掛止を解除することで、バネ体によって棒状回収体を摺動させ、収納本体の開口部近傍に設けられる該回収袋の要部を該棒状回収体が絞り込みながらペットの糞など汚物を回収袋に収納回収する事としている。
【００１３】
また、第２の解決手段は、棒状回収体が地面と所定間隔を持ちながら弾発するゴム状回収体と共に移動するように、該棒状回収体を地面との間に所定の間隔を持って設けると共に棒状回収体の一方端から弾発するゴム状回収体を、該両ガイド部の下部端、すなわち対接地面側を介して棒状回収体の他方端まで弾発掛架するとしたことで、
トリガー体で棒状回収体の掛止を解除することで、バネ体によって棒状回収体と共にゴム状回収体を摺動させ、収納本体の開口部近傍に設けられる該回収袋の要部を該棒状回収体が絞り込みながらペットの糞など汚物を回収袋に収納回収する事としている。
【発明の効果】
【００１４】
本発明は、上述したそれぞれの手段によって有効な効果が得られるようにしたもので、特に、収納本体に回収袋を内設させると共に回収袋の先端側を該収納本体の開口部より外側に折返して回収袋を設けるペット用糞回収装置において、該収納本体に内設された回収袋を該収納本体の開口部近傍の一方端から対向面の他方端まで、棒状回収体を地面と接しながら移動させて、開口部近傍に設けられる該回収袋の要部を絞り込みながらペットの糞などの汚物を回収できるように、該収納本体の開口部の左右側にそれぞれガイド部と、該両ガイド部を橋架すると共に摺動する棒状回収体を設け、該棒状回収体を弾性体の張力で摺動させるバネ体を棒状回収体の左右端側に弾発配置すると共に該バネ体と該棒状回収体を、前記開口部の一方端側で移動掛止と弾発移動解除するトリガー体を設けた第１の解決手段により、
糞回収作業の前準備として、棒状回収体をガイド部に沿って摺動させながら引き寄せてトリガー体に掛止保持させ、その後回収袋を収納本体に内設させると共に回収袋の先端側を該収納本体の開口部より外側に折返して回収袋をセットし、回収の準備が整い、たとえ棒状回収体を摺動させる弾性体の張力が強くしても、棒状回収体をガイド部に沿って引き寄せてトリガー体に掛止支持させるだけであり、慣れの必要性もなく容易にでき、そして構成も簡易でその動きもシンプルであることから安価に製作でき、使用においても収納本体を犬などの糞に被せ、あとは本装置の作用で回収作業が完了するので素早く容易に作業が完了し、快適に使用できる。  
【００１５】
そしてその本装置での回収作業は、棒状回収体が回収袋の口を絞り込むように摺動することで、該棒状回収体が回収袋と共に犬などペットの糞を掬い取るように本装置の作用で回収し、人が煩雑な操作をすることなく犬などのペット糞を容易に該回収袋に回収でき、従来のようにポリ袋を介して手で掴むような、人によっては抵抗感のあることもなく、そのものを見続けながら慎重に処理することもなく、収納本体に内設された回収袋と共に糞に被せ、収納本体を地面に押しつけるだけで、上述した本装置の作用により棒状回収体を弾性力で摺動させて糞を回収袋に収納回収をする簡便作業で、快適に使用できる。
【００１６】
さらに、両ガイド部を摺動する棒状回収体の両端部に弾発するゴム状回収体を横架状に掛架し、該棒状回収体が地面と所定間隔を持ちながら弾発するゴム状回収体と共に移動することで、該ゴム状回収体が回収袋を該収納本体の開口部近傍で絞り込んでペットの糞など汚物を回収できるように、該棒状回収体を地面との間に所定の間隔を持って設けると共に棒状回収体の一方端から弾発するゴム状回収体を、該両ガイド部の下部端、すなわち対接地面側を介して棒状回収体の他方端まで弾発掛架するとした第２の解決手段により、
犬などペットの糞を回収するときに、地面の状態が悪く凹凸があり、そこで回収するときその凹凸により棒状回収体が跳ねることで、収納本体も共に跳ねることがあり、その課題改善として、ゴム状回収体を使用することで、地面の状態に多少凹凸があっても、ゴム状回収体が伸び縮みすることで収納本体に跳ね上がりの影響を与えることなく、スムーズに糞を回収袋に収納回収をすることができ、その棒状回収体のように大きく跳ねるようなこともなく、快適に使用できる。
【００１７】
加えて、上述した特許文献２の回収袋１１と輪状弾性体８のセットの後先を注意しなければならないと言う課題の解決策として、棒状回収体又は棒状回収体とゴム状回収体によりペットの糞を回収袋に回収することを構成したことで、たとえ使用前の準備の回収袋のセットで間違って回収袋を先にセットしても、そのセットした回収袋が邪魔になって棒状回収体又はゴム状回収体のセットができず、よって使用する前に、その間違いに気づくことから上述した特許文献２の課題のように、回収袋１１と輪状弾性体８のセットの後先を注意することなく、糞回収ができる。
よって、本発明は、先行技術をさらに改良して利便性を高めたことにより、実用上著大な効果を奏する。
【図面の簡単な説明】
【００１８】
【図１】本発明の第一実施例の正面図である。
【図２】本発明の第一実施例の底面図である。
【図３】本発明の図２の矢視Ｄ−Ｄ線断面図である。
【図４】本発明の第一実施例の使用状態を示す要部の正面断面図である。
【図５】本発明の第二実施例の要部の正面図である。
【図６】本発明の図５の矢視Ｅ−Ｅ線断面図である。
【図７】本発明の第一実施例の使用状態を示す要部の正面断面図である。
【図８】本発明の第一実施例の作動状態を示す要部の正面断面図である。
【図９】本発明の第二実施例の作動状態を示す要部の正面断面図である。
【図１０】本発明の第一実施例の作動状態を示す要部の正面断面図である。
【図１１】本発明の他の実施例の棒状回収体３ｂの側面断面図である。
【発明を実施するための最良の形態】
【００１９】
回収袋を内設した収納本体の開口部先端近傍に設けられた棒状回収体が、回収袋の口を絞るように糞を回収し、また地面の凹凸に対応させるものとして、棒状回収体を地面との間に所定の間隔を持って設けると共にゴム状回収体を使用して、該ゴム状回収体が伸び縮みすることで、凹凸で跳ねたり、引っ掛かったりすることもなく、該ゴム状回収体がスムーズに回収袋に糞を収納回収させることを実現した。
【実施例】
【００２０】
本発明の第一実施例を図面に基づいて説明すると、図１及び図２において、１はペット用糞回収装置で、該ペット用糞回収装置１は、収納本体２と棒状回収体３及びトリガー体４を有し、該収納本体２は上部が閉じた箱状で、下端開口部の左右側にガイド部５及びそれに沿って設けられるコイル状の引きバネ体６を設けている。
【００２１】
そこで、該収納本体２は、箱状で図２に示すように、一つの辺が半円形状をした略長方形で、その略長方形の開口部７の短辺側の対向する両面の下端に直線のガイド部５，５を設け、長辺側の対向する一方面側を閉じた半円状と、他方面側を直線状で略中央に上記トリガー体４を設け、また該半円状を周回すると共にガイド部５，５に沿って引きバネ体６を設け、該引きバネ体６の両先端部を、前記棒状回収体３の両端部８，８に掛止している。
【００２２】
また、該収納本体２のガイド部５，５は、スライド溝５ａ，５ａを形成して、該スライド溝５ａ，５ａに棒状回収体３の両端部８，８が橋架すると共に摺動する。
【００２３】
なお、図１の収納本体２の側面に把手９，９を揺動可能に設け、ペット用糞回収装置１を持歩くための把手９，９とし、また図１及び図３に示す、収納本体２に内設される回収袋１０の脱落防止用として、図１に示す該把手９，９の下部に袋止め１１，１１を設けて該回収袋１０の先端を仮止めし、そして糞を回収した後、該収納本体２を天地逆の開口部７を上向きとすると共に把手９，９も半回転させて、持ち帰り用の把手９，９とすると共に該収納本体２も回収した糞の持ち帰り用の入れ物とする。
【００２４】
また図３に示す、収納本体２に内設される回収袋１０の基端側には、連続する回収袋１０がロール状に巻かれた予備の回収袋１０ａとして取出穴１２を介して設けられ、袋単位で切り取られ、連続して引き出し使用する。
【００２５】
そして、図４に示すように、トリガー体４は、上述した収納本体２下部の略中央に押しバネ１３を介して下方向に弾発保持されて設けられ、該トリガー体４の下部前方側に前記棒状回収体３の掛止と掛止解除をする掛止部１４を設け、後方側に収納本体２の下面より下に突出するトリガー部１５を設けている。
【００２６】
また、そのトリガー体４の動作は、図４の各矢印で示すように、収納本体２を地面１６に接地した状態で、下方向（矢印Ａ）に押し込むことにより、下方向に弾発保持されたトリガー体４のトリガー部１５が矢印Ｂ方向へ移動し、そのことによりトリガー部１５に掛止されている棒状回収体３が外れ、そのことで引きバネ体６に引張り保持された棒状回収体３が、両ガイド部５，５のスライド溝５ａ，５ａに沿って、矢印Ｃ方向に引きバネ体６により引張られて摺動する。
【００２７】
而して、第二の実施例は、棒状回収体３で回収する動作をゴム状回収体１７と共に回収する実施例で、図５及び図６に示すように、該ゴム状回収体１７は、棒状回収体３ａの両端の先端掛止部１８，１８に掛止する輪状ゴム体で、地面１６との間に所定の間隔を持ってスライド溝５ａ，５ａに設けられた棒状回収体３ａの該一方の先端掛止部１８から両ガイド部５，５の下端上を掛架するように、他方の先端掛止部１８に弾発掛架して設けられる。
【００２８】
そして、そのゴム状回収体１７の動作は、図５に示すように、両ガイド部５，５のスライド溝５ａ，５ａを棒状回収体３ａが引きバネ体６により矢印Ｃ方向に引張り摺動し、そのことで該棒状回収体３ａと共にゴム状回収体１７が、両ガイド部５，５の下端上と地面１６の間を移動することで、ゴム状回収体１７が糞１９を回収袋１０に収納回収する動作をする。
【００２９】
そこで、第一実施例のペット用糞回収装置１を使用する犬などペットなどの糞１９回収状況を詳述すると、先ず、図２に示すＣ″の位置にある棒状回収体３を、図４に示すように、トリガー体４までスライド溝５ａ，５ａに沿って引張り摺動させ、その掛止部１４に棒状回収体３を掛止させる。
【００３０】
次に、図３に示す、収納本体２に内設されるロール状に巻かれた回収袋１０ａの先端を取出穴１２から引き出し、該回収袋１０を収納本体２に内設させると共にその先端を開口部７から外側に折返し、そして上述した、図１に示す該把手９，９の袋止め１１，１１に、該回収袋１０の先端部をそれぞれ止め、その状態でセットが完了する。
【００３１】
そして、犬などペットの糞１９を回収するとき、図７に示すように、地面１６上にある糞１９が開口部７に入るように被せ、その状態で収納本体２の下端を地面１６に当接させると共に矢印Ａ方向の上から下に収納本体２を押しつけることで、図８に示すように、トリガー体４のトリガー部１５が矢印Ｂ方向へ移動し、そのことによりトリガー部１５に掛止されている棒状回収体３が外れ、そして引きバネ体６，６に引張り支持された棒状回収体３が、両ガイド部５，５のスライド溝５ａ，５ａに沿って矢印Ｃ方向に引きバネ体６，６により引張られ、図２に示すＣ″の位置の停止部２０まで摺動して停止する。
【００３２】
この棒状回収体３の移動動作で、図８に示すように収納本体２に内設された回収袋１０の口部を棒状回収体３が絞り込むように糞１９を回収袋１０内部に収納させると共に回収袋１０の口部を閉じさせ、糞１９の回収が完了する。
【００３３】
また他方、地面の状態による糞回収の課題である、凹凸の多い地面に使用する場合、上述第二実施例のゴム状回収体１７で対応させる。
【００３４】
つまり、図９に示すように、棒状回収体３ａの両端の先端掛止部１８，１８に掛止する該ゴム状回収体１７を、その一方の先端掛止部１８から両ガイド部５，５下端上を掛架するように他方の先端掛止部１８に弾発掛架して設け、そして上記課題の地面１６の凹凸２１がある場所で糞１９の回収を行うと、地面１６の凹凸２１に該ゴム状回収体１７が弾かれるように弾発変形して糞１９の収納回収が行われる。  
【００３５】
一方、上述ゴム状回収体１７に対して、地面１６の凹凸２１がある場所で糞１９の回収を棒状回収体３で行うと、図１０に示すように該棒状回収体３が凹凸２１により弾かれ、収納本体２ごと図中矢視に示すＦの量以上に浮き上がり、その浮き上がった分だけ糞１９の取りこぼしが出る可能性があり、もっぱら平坦な地面で収納することを前提に使用される。
【００３６】
なお、上述地面１６の凹凸２１がある場所で使用するゴム状回収体１７に変えて、図１１に示す棒状回収体３ｂの使用が提案でき、つまり該棒状回収体３ｂは、パイプ状で該パイプの内径が支軸２２に対して大径で、図中の矢印のように支軸２２を中心に上下に揺動するように設けることで、上記地面１６の凹凸２１に対応して、該棒状回収体３ｂが上下に揺動し、その棒状回収体３ｂが上下に揺動することで、その凹凸２１に対する跳ね上がりを吸収して収納本体２が跳ね上がることなく、上記課題の収納本体２ごと浮き上がるのを防止できる。
【００３７】
また、ゴム状回収体１７は、上述した輪状ゴム体などのほか、直線のゴム体を先端掛止部１８，１８に掛け渡すように使用してもよく、バネのような伸縮体であっても、その弾発を利用して地面１６の凹凸２１に対応して使用できるが、図示は省略した。
【産業上の利用可能性】
【００３８】
本発明のペット用糞回収装置１は、ペットの糞１９など汚物を回収する糞回収装置として利用することができる。
【符号の説明】
【００３９】
１  ペット用糞回収装置
２  収納本体 
３，３ａ，３ｂ  棒状回収体
４  トリガー体
５  ガイド部
６  引きバネ体
７  開口部
８  端部
１０  回収袋 
１５  トリガー部
１６  地面
１７  ゴム状回収体
１８  先端掛止部
１９  糞
２０  停止部。
【図１】
2012228186.tif 000003
【図２】
2012228186.tif 000004
【図３】
2012228186.tif 000005
【図４】
2012228186.tif 000006
【図５】
2012228186.tif 000007
【図６】
2012228186.tif 000008
【図７】
2012228186.tif 000009
【図８】
2012228186.tif 000010
【図９】
2012228186.tif 000011
【図１０】
2012228186.tif 000012
【図１１】
2012228186.tif 000013
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部の左右と前後の各対辺であって、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで該引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けたことを特徴とするペット用糞回収装置。
【請求項２】
収納本体の開口部に折返して設けられた回収袋の要部を絞り込みながら棒状回収体が移動してペットの糞などの汚物を回収する該棒状回収体において、地面に接する開口部と該地面との間を弾発部材のゴム状回収体が、回収袋を該開口部近傍で絞り込みながらペットの糞などの汚物を回収できるように、該棒状回収体の外周の下端部側が地面と接しない程度の大きさの径として、地面との間に所定の間隔を持って上記両ガイド部に橋架して配置すると共に該ゴム状回収体を、該棒状回収体の端部の一方端から他方端まで、該両ガイド部の下部端、すなわち地面と接する側をそれぞれ乗り越えてゴム状回収体を開口部に横架状に弾発掛架して該棒状回収体と共にゴム状回収体を移動させるように設けるとした請求項１記載のペット用糞回収装置。
【手続補正２】
【補正対象書類名】明細書
【補正対象項目名】００１２
【補正方法】変更
【補正の内容】
【００１２】
本発明は、上記課題を有効に達成するために、第１の解決手段として、収納本体の開口部の左右と前後の各対辺であって、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで該引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けたことで、
トリガー体で棒状回収体の掛止を解除することで、引きバネ体によって棒状回収体をスライド穴に沿って摺動させ、収納本体の開口部近傍に設けられる該回収袋の要部を該棒状回収体が絞り込みながらペットの糞など汚物を回収袋に収納回収する事としている。
【手続補正３】
【補正対象書類名】明細書
【補正対象項目名】００１３
【補正方法】変更
【補正の内容】
【００１３】
また、第２の解決手段は、棒状回収体の外周の下端部側が地面と接しない程度の大きさの径として、地面との間に所定の間隔を持って上記両ガイド部に橋架して配置すると共に該ゴム状回収体を、該棒状回収体の端部の一方端から他方端まで、該両ガイド部の下部端、すなわち地面と接する側をそれぞれ乗り越えてゴム状回収体を開口部に横架状に弾発掛架して該棒状回収体と共にゴム状回収体を移動させるように設けるとしたことで、
トリガー体で棒状回収体の掛止を解除することで、引きバネ体によって棒状回収体と共にゴム状回収体を摺動させ、収納本体の開口部近傍に設けられる該回収袋の要部を該棒状回収体が絞り込みながらペットの糞など汚物を回収袋に収納回収する事としている。
【手続補正４】
【補正対象書類名】明細書
【補正対象項目名】００１４
【補正方法】変更
【補正の内容】
【００１４】
本発明は、上述したそれぞれの手段によって有効な効果が得られるようにしたもので、特に、箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部の左右と前後の各対辺であって、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、該前端部側に設けられたトリガー体を地面に当接させて出没状に摺動させることで該引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けた第１の解決手段により、
糞回収作業の前準備として、棒状回収体をガイド部のスライド穴に沿って摺動させながら引き寄せてトリガー体に掛止保持させ、その後回収袋を収納本体に内設させると共に回収袋の先端側を該収納本体の開口部より外側に折返して回収袋をセットし、回収の準備が整い、たとえ棒状回収体を摺動させる弾性体の張力が強くしても、棒状回収体をガイド部のスライド穴に沿って引き寄せてトリガー体に掛止支持させるだけであり、慣れの必要性もなく容易にセットでき、そして構成も簡易でその動きもシンプルであることから安価に製作でき、使用においても収納本体を犬などの糞に被せ、あとは本装置の作用で回収作業が完了するので素早く容易に作業が完了し、快適に使用できる。
【手続補正５】
【補正対象書類名】明細書
【補正対象項目名】００１６
【補正方法】変更
【補正の内容】
【００１６】
さらに、収納本体の開口部に折返して設けられた回収袋の要部を絞り込みながら棒状回収体が移動してペットの糞などの汚物を回収する該棒状回収体において、地面に接する開口部と該地面との間を弾発部材のゴム状回収体が、回収袋を該開口部近傍で絞り込みながらペットの糞などの汚物を回収できるように、該棒状回収体の外周の下端部側が地面と接しない程度の大きさの径として、地面との間に所定の間隔を持って上記両ガイド部に橋架して配置すると共に該ゴム状回収体を、該棒状回収体の端部の一方端から他方端まで、該両ガイド部の下部端、すなわち地面と接する側をそれぞれ乗り越えてゴム状回収体を開口部に横架状に弾発掛架して該棒状回収体と共にゴム状回収体を移動させるように設けるとした第２の解決手段により、
犬などペットの糞を回収するときに、地面の状態が悪く凹凸があり、そこで回収するときその凹凸により棒状回収体が跳ねることで、収納本体も共に跳ねることがあり、その課題改善として、ゴム状回収体を使用することで、地面の状態に多少凹凸があっても、ゴム状回収体が伸び縮みすることで収納本体に跳ね上がりの影響を与えることなく、スムーズに糞を回収袋に収納回収をすることができ、その棒状回収体のように大きく跳ねるようなこともなく、快適に使用できる。
【手続補正６】
【補正対象書類名】明細書
【補正対象項目名】００２２
【補正方法】変更
【補正の内容】
【００２２】
また、該開口部７のガイド部５，５は、長穴状のスライド穴５ａ，５ａを形成して、該スライド穴５ａ，５ａに棒状回収体３の両端部８，８を橋架させると共に該両端部８，８で摺動させる。
【手続補正７】
【補正対象書類名】明細書
【補正対象項目名】００２６
【補正方法】変更
【補正の内容】
【００２６】
また、そのトリガー体４の動作は、図４の各矢印で示すように、収納本体２の開口部７を地面１６に接地した状態で、下方向（矢印Ａ）に押し込むことにより、下方向に弾発保持されたトリガー体４のトリガー部１５が矢印Ｂ方向へ移動し、そのことにより掛止部１４に掛止されている棒状回収体３が外れ、そのことで引きバネ体６に引張り保持された棒状回収体３が、両ガイド部５，５のスライド穴５ａ，５ａに沿って、矢印Ｃ方向に引きバネ体６により引張られて摺動する。
【手続補正８】
【補正対象書類名】明細書
【補正対象項目名】００２７
【補正方法】変更
【補正の内容】
【００２７】
而して、第二の実施例は、棒状回収体３で回収する動作をゴム状回収体１７と共に回収する実施例で、図５及び図６に示すように、該ゴム状回収体１７は、棒状回収体３ａの両端の先端掛止部１８，１８に掛止する輪状ゴム体で、地面１６との間に所定の間隔を持ってスライド穴５ａ，５ａに棒状回収体３ａを設けると共に該棒状回収体３ａの一方の先端掛止部１８から両ガイド部５，５の下部端、すなわち地面と接する側をそれぞれ乗り越えるように掛架して、他方の先端掛止部１８にゴム状回収体１７を開口部７に横架状に弾発掛架して設けている。
【手続補正９】
【補正対象書類名】明細書
【補正対象項目名】００２８
【補正方法】変更
【補正の内容】
【００２８】
そして、そのゴム状回収体１７の動作は、図５に示すように、両ガイド部５，５のスライド穴５ａ，５ａを棒状回収体３ａが引きバネ体６により矢印Ｃ方向に引張り摺動され、そのことで該棒状回収体３ａと共にゴム状回収体１７が、両ガイド部５，５の下端上、すなわち接地面側と地面１６の間を移動することで、棒状回収体３ａと共にゴム状回収体１７が回収袋１０を絞り込みながら糞１９を収納回収する動作をする。
【手続補正１０】
【補正対象書類名】明細書
【補正対象項目名】００２９
【補正方法】変更
【補正の内容】
【００２９】
そこで、第一実施例のペット用糞回収装置１を使用する犬などペットなどの糞１９回収状況を詳述すると、先ず、図２に示すＣ″の位置にある棒状回収体３を、図４に示すように、トリガー体４までスライド穴５ａ，５ａに沿って引張り摺動させ、その掛止部１４に棒状回収体３を掛止させる。
【手続補正１１】
【補正対象書類名】明細書
【補正対象項目名】００３１
【補正方法】変更
【補正の内容】
【００３１】
そして、犬などペットの糞１９を回収するとき、図７に示すように、地面１６上にある糞１９が開口部７に入るように被せ、その状態で収納本体２の下端の開口部７を地面１６に当接させると共に矢印Ａ方向の上から下に収納本体２を押しつけることで、図８に示すように、トリガー体４のトリガー部１５が矢印Ｂ方向へ移動し、そのことによりトリガー部１５に掛止されている棒状回収体３が外れ、そして引きバネ体６，６に引張り支持された棒状回収体３が、両ガイド部５，５のスライド穴５ａ，５ａに沿って矢印Ｃ方向に引きバネ体６，６により引張られ、図２に示すＣ″の位置の停止部２０まで摺動して停止する。
【手続補正１２】
【補正対象書類名】明細書
【補正対象項目名】００３９
【補正方法】変更
【補正の内容】
【００３９】
１  ペット用糞回収装置
２  収納本体 
３，３ａ，３ｂ  棒状回収体
４  トリガー体
５  ガイド部
５ａ  スライド穴
６  引きバネ体
７  開口部
８  端部
１０  回収袋 
１５  トリガー部
１６  地面
１７  ゴム状回収体
１８  先端掛止部
１９  糞
２０  停止部。
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けたことを特徴とするペット用糞回収装置。
【請求項２】
箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで該開口部を移動できるように、該棒状回収体を該棒状回収体の外周の下端部側が地面と接しない程度の大きさの径として、地面との間に所定の間隔を持って上記両ガイド部に橋架して配置すると共に該ゴム状回収体を、該棒状回収体の一方端から他方端まで、該両ガイド部の下端部、すなわち地面と接する側に沿ってゴム状回収体を開口部に横架状に弾発掛架して該棒状回収体と共にゴム状回収体が移動するように設けたことを特徴とするペット用糞回収装置。
【手続補正２】
【補正対象書類名】明細書
【補正対象項目名】００１２
【補正方法】変更
【補正の内容】
【００１２】
本発明は、上記課題を有効に達成するために、第１の解決手段として、収納本体の開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けたことで、
トリガー体で棒状回収体の掛止を解除することで、引きバネ体によって棒状回収体をスライド穴に沿って摺動させ、収納本体の開口部近傍に設けられる該回収袋の要部を該棒状回収体が絞り込みながらペットの糞など汚物を回収袋に収納回収する事としている。
【手続補正３】
【補正対象書類名】明細書
【補正対象項目名】００１３
【補正方法】変更
【補正の内容】
【００１３】
また、第２の解決手段は、収納本体の開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで該開口部を移動できるように、該棒状回収体を該棒状回収体の外周の下端部側が地面と接しない程度の大きさの径として、地面との間に所定の間隔を持って上記両ガイド部に橋架して配置すると共に該ゴム状回収体を、該棒状回収体の一方端から他方端まで、該両ガイド部の下端部、すなわち地面と接する側に沿ってゴム状回収体を開口部に横架状に弾発掛架して該棒状回収体と共にゴム状回収体が移動するように設けるとしたことで、
トリガー体で棒状回収体の掛止を解除することで、引きバネ体によって棒状回収体と共にゴム状回収体を摺動させ、収納本体の開口部近傍に設けられる該回収袋の要部を該棒状回収体が絞り込みながらペットの糞など汚物を回収袋に収納回収する事としている。
【手続補正４】
【補正対象書類名】明細書
【補正対象項目名】００１４
【補正方法】変更
【補正の内容】
【００１４】
本発明は、上述したそれぞれの手段によって有効な効果が得られるようにしたもので、特に、箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで棒状回収体の外側下端部が地面に接しながら該開口部を移動できるように、棒状回収体を、上記両ガイド部のスライド穴に橋架して設けると共に該棒状回収体の外周の下端部側が地面と接する程度の大きさの径とし、引きバネ体の端部を該棒状回収体の左右両端部にそれぞれ係止すると共に両ガイド部に沿って上記後端部側に引張力にて弾発付勢して設けた第１の解決手段により、
糞回収作業の前準備として、棒状回収体をガイド部のスライド穴に沿って摺動させながら引き寄せてトリガー体に掛止保持させ、その後回収袋を収納本体に内設させると共に回収袋の先端側を該収納本体の開口部より外側に折返して回収袋をセットし、回収の準備が整い、たとえ棒状回収体を摺動させる弾性体の張力が強くしても、棒状回収体をガイド部のスライド穴に沿って引き寄せてトリガー体に掛止支持させるだけであり、慣れの必要性もなく容易にセットでき、そして構成も簡易でその動きもシンプルであることから安価に製作でき、使用においても収納本体を犬などの糞に被せ、あとは本装置の作用で回収作業が完了するので素早く容易に作業が完了し、快適に使用できる。
【手続補正５】
【補正対象書類名】明細書
【補正対象項目名】００１６
【補正方法】変更
【補正の内容】
【００１６】
さらに、箱状で地面に接する下端側を略方形状の開口部とした収納本体に、回収袋を内設させると共に該回収袋の先端から開口させて該収納本体の開口部より外側に広げるように折返して該開口部に回収袋を設けたペット用糞回収装置において、該開口部に折返して設けられた回収袋の要部を絞り込みながらペットの糞などの汚物を回収できるように、該開口部は左右と前後の各対辺からなり、該左右の対向する左端部と右端部の該地面に接する開口部下端近傍の側面側に長穴状のスライド穴を形成したガイド部をそれぞれ対向させて設け、該前後の対向する側を前端部と後端部とすると共に前端部側に、前記回収袋を絞り込み移動する棒状回収体の掛止及び掛止解除するトリガー体と、後端部側に、該棒状回収体が当接停止する停止部をそれぞれ設け、
該前端部側に設けられたトリガー体を地面に当接させて出没状に摺動させることで引張力にて弾発付勢された棒状回収体の掛止から掛止解除して両ガイド部のスライド穴に沿って棒状回収体が該前端部から後端部まで該開口部を移動できるように、該棒状回収体を該棒状回収体の外周の下端部側が地面と接しない程度の大きさの径として、地面との間に所定の間隔を持って上記両ガイド部に橋架して配置すると共に該ゴム状回収体を、該棒状回収体の一方端から他方端まで、該両ガイド部の下端部、すなわち地面と接する側に沿ってゴム状回収体を開口部に横架状に弾発掛架して該棒状回収体と共にゴム状回収体が移動するように設けるとした第２の解決手段により、
犬などペットの糞を回収するときに、地面の状態が悪く凹凸があり、そこで回収するときその凹凸により棒状回収体が跳ねることで、収納本体も共に跳ねることがあり、その課題改善として、ゴム状回収体を使用することで、地面の状態に多少凹凸があっても、ゴム状回収体が伸び縮みすることで収納本体に跳ね上がりの影響を与えることなく、スムーズに糞を回収袋に収納回収をすることができ、その棒状回収体のように大きく跳ねるようなこともなく、快適に使用できる。